(57)【特許請求の範囲】
【請求項１】
指針の回転中心にボスキャップを有し、ボスキャップに、前記ボスキャップの一部を囲むように形成されたスリットを有する車両用計器であって、
表示板と、
前記表示板上の指標部を指示するために回転する透光性の前記指針と、
前記指針を回転駆動する指針駆動軸と、
前記表示板の裏側に配置され前記指針に光を導入する光源と、を備え、
前記指針は、該指針の回転中心に位置する指針基部と、該指針基部から突出した針状部と、前記指針基部を覆う不透光性の前記ボスキャップと、を備え、
前記ボスキャップは、前記スリットが形成された前壁部と、該前壁部から後方に延在する側壁部とを有し、
前記指針基部は、該指針基部と一体に形成されて前記スリット内に挿入された挿入突起部と、前記光源からの光が入射する入光部と、前記ボスキャップの前記側壁部に対向する基部側壁部と、前記挿入突起部の先端部に形成されて光を放射する光放射部とを有し、
更に、前記スリットに隣接した位置において前記指針基部に向けて前記前壁部から突出し、前記スリットに囲まれて剛性が低下した前記前壁部と前記指針基部との間に圧縮状態で挟持されている位置決め突起部を備えていることを特徴とする車両用計器。
【請求項２】
前記位置決め突起部は、前記前壁部と一体に形成され、前記指針基部の前記前壁部に対向する基部平面部に対して突出していることを特徴とする請求項１に記載の車両用計器。
【請求項３】
前記挿入突起部の付け根に、前記基部平面部を有し、該基部平面部に基部平面シボが形成されており、前記基部平面シボに前記位置決め突起部が当接していることを特徴とする請求項２に記載の車両用計器。
【請求項４】
前記光放射部に光放射シボが形成されており、該光放射シボの表面が、前記ボスキャップの表面よりも窪んで、前記ボスキャップと前記指針基部とが組付けられていることを特徴とする請求項１ないし３のうちいずれか一項に記載の車両用計器。
【請求項５】
前記ボスキャップの前記側壁部に対向する前記基部側壁部は、前記指針駆動軸の軸方向と直交する側壁平面部を持ち、該側壁平面部に係止される係止爪を前記ボスキャップの前記側壁部に有し、
前記指針基部の表面と前記前壁部との間において、前記位置決め突起部の前記圧縮状態が維持されている状態で、前記側壁平面部と前記係止爪との係合により、前記ボスキャップと前記指針基部とが結合されていることを特徴とする請求項１ないし４のいずれか一項に記載の車両用計器。
【請求項６】
前記スリットはＣ字形に形成され、前記位置決め突起部は、前記スリットの内周側に形成されていることを特徴とする請求項１ないし５のいずれか一項に記載の車両用計器。
【請求項７】
前記位置決め突起部は、前記指針基部に点接触する半球状に形成されていることを特徴とする請求項１ないし６のいずれか一項に記載の車両用計器。
【発明の詳細な説明】
【技術分野】
【０００１】
本発明は、指針の回転中心にボスキャップを被せ、指針を光源からの光により発光させると共に、デザインのためにボスキャップに設けたスリットを、光源からの光により発光させる車両用計器に関するものである。
【背景技術】
【０００２】
車両用計器において、表示板に印刷された指標部を指し示す指針（ポインタとも呼ばれる）はポリカーボネイト等の着色された透光性のある樹脂で成型されている。指針は、表示板上を移動する針状部と指針基部とボスキャップとを備える。この針状部の付け根の指針基部には、ボスキャップが被せられる。指針は、昼間において樹脂材料の色調のみで運転者に視認され、夜間において表示板の裏にある光源（ＬＥＤ）からの光で発光する。
【０００３】
ボスキャップは、不透光性の樹脂性のキャップからなる。このボスキャップの表面にスリットが設けられ、昼間は樹脂材料の色調のみでスリットの形状を運転者に視認させ、夜間はスリットから漏れる光を運転者に視認させて、美感を向上させるものが、特許文献１にて知られている。
【０００４】
この特許文献１は、立体感の有る表示意匠を視認させることが可能な計器用指針を提供することを課題としている。そのために、長手状に伸びる指針の針状部と、指針の回転中心部を覆う例えば黒色の遮光性合成樹脂よりなるボスキャップとを備えている。ボスキャップには、指針の回転中心部の真上に位置して開口形成された丸い貫通孔を有する。
【０００５】
この貫通孔を塞ぐように、ボスキャップの基部に嵌められる被覆部材（プラスチックシート）を備える。この被覆部材は、ポリカーボネイト等の光透過性の基板と、該基板の裏面に印刷された地色部とを有する。この地色部は、ボスキャップの前方側から入射する光によってボスキャップの基部と略同一色をなすように視認される。
【０００６】
また、被覆部材の表面に環状に隆起した隆起部を有する。隆起部の表側には筋目模様（ヘアライン模様）が形成されている。隆起部の裏側には、地色部の形成されない抜き部を有する。この抜き部には、ボスキャップの前方側から入射する光を反射する半透過反射部を有する。
【０００７】
これにより、半透過反射部は、自然光を運転者側に反射し、表示板裏側の光源からの光を透過する。また、被覆部材は、環状の隆起部を持つ立体形状であり、ボスキャップの立体感を強調している。
【先行技術文献】
【特許文献】
【０００８】
【特許文献１】特開２００８−３９６２０号公報
【発明の概要】
【発明が解決しようとする課題】
【０００９】
このように、ボスキャップに貫通孔、Ｃ字状スリット、およびコ字状のスリット等を形成して、デザイン上の工夫を行うことにより美感が向上するが、反面、ボスキャップの剛性が弱まる。
【００１０】
例えば、Ｃ字状スリットを設けて、このスリットから光源の光が漏れるようにして美感を向上させると、ボスキャップの中央部とボスキャップの外周との連結部分が減ることになり、ボスキャップの剛性が低下する。
【００１１】
この剛性の低下により、ボスキャップが変形しやすくなり、指針回転に伴い、ボスキャップから異音が発生する懸念があったため、今まで、スリットの形成は実施されてこなかった。また、特許文献１のように立体形状の別部品で被覆部材（プラスチックシート）を取り付けることはコストアップを招く。
【００１２】
本発明は、このような従来の技術に存在する問題点に着目して成されたものであり、その目的は、指針の回転中心に設けられたボスキャップにスリットを形成したにも関わらず、剛性が高く、ボスキャップが変形し難く、指針回転に伴いボスキャップから、異音が発生することのない車両用計器を提供することにある。
【００１３】
従来技術として列挙された特許文献の記載内容は、この明細書に記載された技術的要素の説明として、参照によって導入ないし援用することができる。
【課題を解決するための手段】
【００１４】
本発明は上記目的を達成するために、下記の技術的手段を採用する。すなわち、請求項１に記載の発明では、指針の回転中心にボスキャップを有し、ボスキャップに、ボスキャップの一部を囲むように形成されたスリットを有する車両用計器であって、表示板と、表示板上の指標部を指示するために回転する透光性の指針と、指針を回転駆動する指針駆動軸と、表示板の裏側に配置され指針に光を導入する光源と、を備え、指針は、該指針の回転中心に位置する指針基部と、該指針基部から突出した針状部と、指針基部を覆う不透光性のボスキャップとを備え、ボスキャップは、スリットが形成された前壁部と、該前壁部から後方に延在する側壁部と、を有し、指針基部は、該指針基部と一体に形成されてスリット内に挿入された挿入突起部と、光源からの光が入射する入光部と、ボスキャップの側壁部に対向する基部側壁部と、挿入突起部の先端部に形成されて光を放射する光放射部とを有し、更に、スリットに隣接した位置において指針基部に向けて前壁部から突出し、スリットに囲まれて剛性が低下した前壁部と指針基部との間に圧縮状態で挟持されている位置決め突起部を備えている。
【００１５】
この発明によれば、ボスキャップと、指針基部との組付け状態において、位置決め突起部が指針基部に当接して、位置決め突起部が押圧されて、ボスキャップの前壁部が変形して組付けがなされるから、位置決め突起部の周辺のボスキャップの剛性を高めることができ、スリットを形成したことによるボスキャップの剛性の低下に起因する異音の発生を抑止することができる。
【００１６】
請求項２に記載の発明では、位置決め突起部は、前壁部と一体に形成され、指針基部の前壁部に対向する基部平面部に対して突出していることを特徴としている。
【００１７】
この発明によれば、位置決め突起部をボスキャップの前壁部と一体に形成することで、成形が容易になる。また、指針基部内に入光した光が、指針基部とボスキャップの一部である位置決め突起部との境界面を通るため、直接的に位置決め突起部に入ることがないから、位置決め突起部の発光により、スリット内の挿入突起部の光放射部の周辺の輝度に影響を与え、輝度むらを生じさせることが抑止できる。
【００１８】
請求項３に記載の発明では、挿入突起部の付け根に、基部平面部を有し、該基部平面部にシボが形成されておおり、このシボに位置決め突起部が当接していることを特徴としている。
【００１９】
この発明によれば、基部平面部にシボが形成されており、このシボに位置決め突起部が当接しているから、シボと位置決め突起部とを介して、指針基部に対するボスキャップの高さを調整し易い。つまり、シボは微細な凹凸からなるから、圧力で位置決め突起部と共に変形し、上記高さを調整しやすい。
【００２０】
請求項４に記載の発明では、光放射部にシボが形成されており、該光放射部のシボの表面が、ボスキャップの表面よりも窪んでボスキャップと指針基部とが組付けられていることを特徴としている。
【００２１】
この発明によれば、光放射部のシボの表面がボスキャップの表面よりも窪んでいるから、挿入突起部の光放射部から外部に放射される光の輝度を確実に緩和することができる。つまり、挿入突起部の周壁部から直接的に光が外部に放射されるのを防止でき、所定の輝度とすることができる。
【００２２】
請求項５に記載の発明では、ボスキャップの側壁部に対向する基部側壁部は、指針駆動軸の軸方向と直交する側壁平面部を持ち、該側壁平面部に係止される係止爪をボスキャップの側壁部に有し、指針基部の表面と前壁部との間において、位置決め突起部の押圧した状態が維持されている状態で、側壁平面部と係止爪との係合により、ボスキャップと指針基部とが結合されていることを特徴としている。
【００２３】
この発明によれば、指針基部側の側壁平面部と、ボスキャップ側の係止爪との係合により、ボスキャップと指針基部を強固に結合することができる。また、位置決め突起部の押圧状態を維持することができる。
【００２４】
請求項６に記載の発明では、スリットはＣ字形に形成され、位置決め突起部は、スリットの内周側に形成されていることを特徴としている。
【００２５】
この発明によれば、位置決め突起部は、Ｃ字形のスリットの内周側に形成されているから、スリット内周側の剛性の低いボスキャップ部分を位置決め突起部で支持して補強することができる。
【００２６】
請求項７に記載の発明では、位置決め突起部は、指針基部に点接触する半球状に形成されていることを特徴としている。
【００２７】
この発明によれば、位置決め突起部は、半球状であるから、位置決め突起部が指針基部に点接触するため、指針基部の表面とボスキャップの前壁部の表面との間の寸法が調整し易く、かつ調整後の寸法を維持し易い。
【図面の簡単な説明】
【００２８】
【図１】本発明の第１実施形態を示す車両用計器の表示板上における指針の斜視図である。
【図２】図１の指針の分解斜視図である。
【図３】図１の矢印Ｚ３−Ｚ３線に沿う車両用計器の内部構造を示す断面図である。
【図４】上記実施形態におけるボスキャップと指針基部との結合構造を示す、図３の領域Ｒ４の拡大断面図である。
【図５】上記実施形態におけるボスキャップと、指針基部との寸法関係を説明する、図３の領域Ｒ４相当部分の仮想拡大断面図である。
【図６】上記実施形態におけるボスキャップと、指針基部との実際の組付け状態を説明する、図３の領域Ｒ４の拡大断面図である。
【発明を実施するための形態】
【００２９】
以下に、図面を参照しながら本発明を実施するための複数の形態を説明する。各形態において先行する形態で説明した事項に対応する部分には同一の参照符号を付して重複する説明を省略する場合がある。各形態において構成の一部のみを説明している場合は、構成の他の部分については先行して説明した他の形態を適用することができる。
【００３０】
各実施形態で具体的に組合せが可能であることを明示している部分同士の組合せばかりではなく、特に組合せに支障が生じなければ、明示していなくても実施形態同士を部分的に組合せることも可能である。
【００３１】
（第１実施形態）
以下、本発明の第１実施形態について図１ないし図６を用いて詳細に説明する。図１は、本発明の第１実施形態を示す車両用計器の表示板上における指針の斜視図である。図２は、図１の指針の分解斜視図である。図３は、図１の矢印Ｚ３−Ｚ３線に沿う車両用計器の内部構造を示す断面図である。
【００３２】
図１において、指針（ポインタとも呼ばれる）１の材質は着色剤が混入された透光性のある合成樹脂（ポリカーボネイト）である。指針１は、表示板１１上の図示しない指標部を指し示す針状部２と、指針１の回転中心に結合されたボスキャップ３と指針基部５とを有する。
【００３３】
よって、昼間においては、指針１の材料の色調のみを指針１の色として運転者に視認させる。一方、夜間においては、後述する光源の発光ダイオード（ＬＥＤ）８ａ、８ｂ（図３）の光と、指針１の材料を透過した色を指針１の発光色としている。
【００３４】
ボスキャップ３には、Ｃ字形のスリット（筋状の切れ目）４が形成されている。スリット４内には、指針基部５（図２）の一部となる挿入突起部６が嵌入されている。そのため、昼間は、ボスキャップ３の材料の色調と、挿入突起部６の色調のみで、Ｃ字形のスリット４およびボスキャップ３を視認させ、夜間は光源８ａ、８ｂのからの光を、挿入突起部６を経由してスリット４から漏らすことによりＣ字形のスリット４が発光することにより視認させている。
【００３５】
図２は、指針１の分解斜視図である。指針１は、針状部２と同じ透光性の合成樹脂材料で連続して一体に成型された指針基部５を持っている。指針基部５は、指針駆動軸９（図３）が挿入される軸部１０と、ボスキャップ３のスリット４内に挿入されるＣ字形の挿入突起部６を一体に有する。
【００３６】
図３において、表示板１１は透光性のある合成樹脂からなり、この表示板１１に印刷された図示しない複数の目盛と数字からなる指標部を指針１の針状部２の先端が指示する。断面が逆Ｕ字形のボスキャップ３が、指針１の回転中心に嵌入されている。ボスキャップ３は、光を遮蔽する合成樹脂からなる成型品である。
【００３７】
ボスキャップ３には、指針基部５と一体の挿入突起部６が挿入されるスリット４がＣ字形に形成されている。指針１の針状部２と指針基部５と挿入突起部６と軸部１０は、透光性のある合成樹脂で連続して一体に射出成形されている。
【００３８】
Ｃ字形のスリット４内に隙間なく挿入されるように挿入突起部６もＣ字形に形成されている。ボスキャップ３の前壁部３ａからは、指針基部５の穴部５ａ内に挿入された嵌入凸部３ｂが設けられている。この嵌入凸部３ｂは、指針基部５の穴部５ａ内に遊嵌されているが、圧入することも変形例として可能である。
【００３９】
指針基部５は、軸部１０を一体に有し、軸部１０内には指針駆動軸９が取り付けられている。指針駆動軸９は、ステップモータ等から成る駆動部１２から突出している。回路基板１３は、表示板１１と平行に延在している。回路基板１３の表側には光源８ａ、８ｂとなるＬＥＤが設けられている。
【００４０】
車両用計器の骨格部を成すメータケース１５に表示板１１および回路基板１３が取り付けられている。メータケース１５の一部は表示板１１の裏側に延在する遮光壁１６および軸部１０を中空の空間部を介して取り囲む軸部周辺部１７を一体に有する。
【００４１】
図４は、上記第１実施形態におけるボスキャップ３と指針基部との結合構造を示す図３の領域Ｒ４の拡大断面図である。ボスキャップ３は、側壁部３ｃに針状部２が導出される出口部３ｄを有し、前壁部３ａには前述のように、指針基部５の穴部５ａ内に挿入された嵌入凸部３ｂが設けられている。
【００４２】
また、Ｃ字形のスリット４がボスキャップ３の内外を貫通している。このスリット４の内周側に半球上の位置決め突起部３ｅが形成されている。この位置決め突起部３ｅは、図４では一個のみ図示しているが、Ｃ字形のスリット４の内周側に沿って複数設けられている。
【００４３】
指針１と一体の指針基部５は、軸部１０と、嵌入凸部３ｂが嵌入される穴部５ａと、スリット４内に嵌入される挿入突起部６を有する。挿入突起部６と対向する指針基部５の部分には、入光部１８を有し、この入光部１８の傾斜面は、指針基部５に光源８ａ、８ｂからの光を導入する入光面となっている。
【００４４】
また、ボスキャップ３の右側壁部３ｃ１に対向する基部側壁部５ｂと、挿入突起部６の先端部に形成された光放射部１９とを有する。この光放射部１９は、ボスキャップ３の表面から０．１ｍｍ程度の段差量（オフセット量）Ｂ４を形成して配置されている。換言すれば、挿入突起部６の先端部の光放射部１９は、ボスキャップ３の表面から０．１ｍｍ窪んだ位置に設けられている。
【００４５】
入光部１８は、指針駆動軸９（図３）の軸方向と交差する傾斜面を持ち、傾斜面には光源からの光を散乱させる第１シボＴ１が形成されている。また、ボスキャップ３の右側側壁部３ｃ１に対向する基部側壁部５ｂには、第２シボＴ２が形成されている。
【００４６】
この第２シボＴ２が形成された基部側壁部５ｂには段差部５ｂ１が設けられ、段差部５ｂ１に側壁平面部を有している。この段差部５ｂ１の側壁平面部は、指針駆動軸９（図３）の軸方向と直交する平面を持っている。
【００４７】
後述するように、段差部５ｂ１の側壁平面部に、ボスキャップ３の側壁部３ｃ、３ｃ１から突出した図示しない三角形断面の係止爪が係止されることで、ボスキャップ３と指針基部５とが結合される。なお、図４では、見えない位置に、上記係止爪が相対向して複数設けられている。
【００４８】
更に、挿入突起部６の根元（挿入突起部６の付け根に位置する基部平面部）に第３シボ（基部片面シボとも言う）Ｔ３１、Ｔ３２が形成されている。第４シボＴ４が、挿入突起部６の周壁部に形成されている。また、第５シボ（光放射シボとも言う）Ｔ５は、挿入突起部６の光放射部１９に形成されている。
【００４９】
これらのシボＴ１、Ｔ２、Ｔ３１、Ｔ３２、Ｔ４、Ｔ５の全てが必須ではない。これらのシボからなる凹凸部の深さは１０μから５０μが好ましく、この実施形態では２０μとしている。入光部１８は、指針駆動軸９の軸方向と２５度から６５度の範囲で交差する傾斜面を持つ。この傾斜面が前述したように入光面を形成している。
【００５０】
次に、上記構成からなる第１実施形態の作用効果について説明する。図４の入光部１８は、軸部１０または指針駆動軸９の軸方向と交差し第１シボＴ１が形成された傾斜面を持つ。また、挿入突起部６の先端部の光放射部１９には、光源８ａ、８ｂからの光を散乱させる第５シボ（光放射シボ）Ｔ５が形成されている。
【００５１】
よって、光源８ａ、８ｂからの光が、指針駆動軸９の軸方向に進んで、指針基部５内に導入されるとき、入光部１８の傾斜角度と第１シボＴ１によって光の強さを調整することができる。例えば入光部１８の傾斜角度を小さくして図４の左右方向の平面方向に近づければ、より多くの光源８ａ、８ｂからの光が指針基部５内に導入され、スリット４の輝きが増す。
【００５２】
指針１の輝度には、光源８ａ、８ｂから指針基部５を経由して、針状部２内で反射して外部に放射される光による針状部２（図１）の輝度がある。また、図４の入光部１８の傾斜角度と、第１シボＴ１等によって光の強さが調整されて、スリット４内の挿入突起部６から放射される光によるスリット４の輝度がある。
【００５３】
これらの針状部２の輝度と、スリット４の輝度とを、入光部１８の傾斜角度等でバランスのとれた状態に調整することができる。また、入光部１８の傾斜面に施した第１シボＴ１で入光量を抑制し、更に、入光部１８に入った後の光の方向を変えて、スリット４から光源８ａ、８ｂに直射光が出ないようにすることができる。
【００５４】
次に、基部側壁部５ｂには、第２シボＴ２が形成されているから、光源８ａ、８ｂから放射されて、指針基部５内に導入された光が、基部側壁部５ｂの第２シボＴ２によって散乱する。これによって、より直接的に光源８ａ、８ｂからスリット４に至る光が減少するから、スリット４の輝度を緩和することができる。
【００５５】
また、挿入突起部６の先端部の光放射部１９に、光放射シボをなす第５シボＴ５が形成され、この第５シボＴ５の表面がボスキャップ３の表面よりも窪んでいる。これにより、挿入突起部６から外部に放射される光の輝度を緩和することができる。この場合、公差範囲の最悪寸法で製品が完成したときにおいても、挿入突起部６が、ボスキャップ３表面から外部に飛び出さないようにして、挿入突起部６の周壁部からボスキャップ３の外部へ光が直接漏れないようにしている。
【００５６】
次に、指針基部５の段差部５ｂ１の側壁平面部と、ボスキャップ３側の係止爪との係合により、ボスキャップ３と指針基部５とを強固に結合することができる。また、段差部５ｂ１の側壁平面部は、入光部１８の傾斜面と共に、指針基部５内に導入される光の量を調整することに寄与する。
【００５７】
この第１実施形態では、Ｃ字形のスリット４がボスキャップ３に設けられているため、ボスキャップ３の剛性が低下する。このため、組付け構造によっては、剛性が低下したボスキャップ３の部分が振動して異音が発生したり、耐久性が悪化したりするという問題がある。以下、この対策について説明する。
【００５８】
図５は、第１実施形態におけるボスキャップ３と、指針基部５との寸法関係を説明する、図３の領域Ｒ４の仮想拡大断面図である。図５においては、実際には、半球状の位置決め突起部３ｅが第３シボＴ３１の面に干渉して、このような形には組付けができない寸法関係に部品寸法が設定されていることを図示している。つまり、半球状の位置決め突起部３ｅが意図的に指針基部５の上端面（第３シボＴ３１の面）に干渉するように設計している。
【００５９】
また、ボスキャップ３の側壁部３ｃ１に対向する基部側壁部５ｂは、軸部１０の軸方向と直交する側壁平面部を有する段差部５ｂ１を持ち、この側壁平面部に係止される係止爪をボスキャップ３の側壁部３ｃ１に有する。この係止爪を、図５において仮想的に係止爪３ｆとして図示している。なお、実際の係止爪３ｆは、この位置ではなく、図１のＰ１、Ｐ２の位置に相対向して複数設けられている。
【００６０】
図６は、第１実施形態におけるボスキャップ３と、指針基部５との実際の組付け状態を説明する、図３の領域Ｒ４の拡大断面図である。実際には、領域Ｒ８１のように、位置決め突起部３ｅが第３シボＴ３１の面に当接して、位置決め突起部３ｅが押し上げられて、ボスキャップ３の前壁部３ａおよび位置決め突起部３ｅが変形して、組付けがなされる。
【００６１】
また、領域Ｒ８２の周辺でも、指針基部５がボスキャップ３の凸部に当接して、領域Ｒ８２周辺でボスキャップ３が変形し、ボスキャップ３の剛性が高まるようにされている。そして、このボスキャップ３が変形し、ボスキャップ３の剛性が高まった状態において、図４の挿入突起部６の先端部に形成された光放射部１９が、ボスキャップ３の表面から０．１ｍｍ程度窪むように段差量（オフセット量）Ｂ４が形成されている。
【００６２】
このボスキャップ３の変形により、ボスキャップ３の剛性が高まり、車両振動時または指針回転時に、Ｃ字状のスリット４に囲まれたボスキャップ３の前壁部３ａが振動しないように（バタつかないように）されている。これにより、ボスキャップ３が異音を発生することがなくなり、また、図４の段差量（オフセット量）Ｂ４の寸法が安定し、スリット４内の挿入突起部６の輝度も安定する。
【００６３】
以上のように、図６において、指針基部５の表面とボスキャップ３の前壁部３ａの表面との間に、位置決め突起部３ｅが干渉するように設けられている。このため、ボスキャップ３と、指針基部５との組付け状態において、位置決め突起部３ｅが指針基部５に当接して、位置決め突起部３ｅが押圧される（圧縮される）。
【００６４】
これにより、ボスキャップ３の前壁部３ａが変形して組付けがなされるから、位置決め突起部３ｅの周辺（特に、スリット４の内周側）のボスキャップ３の剛性を高めることができ、スリット４を形成したことによるボスキャップ３の剛性の低下に起因する異音の発生を抑止することができる。
【００６５】
次に、位置決め突起部３ｅをボスキャップ３の前壁部３ａと一体に形成することで、成型が一度にでき、成型が容易になる。また、指針基部５と位置決め突起部３ｅが別部材から構成されるから、指針基部５内に入光した光が、直接的に位置決め突起部３ｅに入ることがない。また、ボスキャップ３と同様に、位置決め突起部３ｅを不透光性の樹脂で成型できる。よって、位置決め突起部３ｅが発光しないため、スリット４内の挿入突起部６の光放射部１９の周辺の輝度に影響を与えることがなくなり、輝度むらを生じさせることがない。
【００６６】
また、突起部３ｅの付け根に、指針基部５の基部平面部を有し、該基部平面部に、基部平面シボとなる第３シボＴ３１（図４）が形成されており、この第３シボＴ３１に位置決め突起部３ｅが当接している。第３シボＴ３１は、微細な凹凸からなり圧力で変形するから、位置決め突起部３ｅに加わる押圧力を調整することで、指針基部５に対するボスキャップ３の高さを調整し易い。
【００６７】
また、図５に示したように、段差部５ｂ１の側壁平面部と係止爪３ｆとの係合により、ボスキャップ３内に指針基部５が結合され、指針基部５の表面とボスキャップ３の前壁部３ａの表面との間における位置決め突起部３ｅの押圧（圧縮）状態が維持されている。
【００６８】
従って、この構成によれば、指針基部５側の段差部５ｂの側壁平面部と、ボスキャップ３側の係止爪３ｆとの係合により、ボスキャップ３と指針基部５を強固に結合することができる。
【００６９】
次に、スリット４は、Ｃ字形に形成され、位置決め突起部３ｅは、スリット４の内周側に形成されている。これによれば、位置決め突起部３ｅは、Ｃ字形のスリット４の内周側の剛性の低いボスキャップ３部分を補強して、剛性を高めることができる。また、位置決め突起部３ｅは、半球状の形状であるから、押圧力で適度に位置決め突起部３ｅが圧縮されて、指針基部５の表面とボスキャップ３の前壁部３ａの表面との間の寸法が調整し易い。
【００７０】
（その他の実施形態）
本発明は上述した実施形態にのみ限定されるものではなく、次のように変形または拡張することができる。例えば、上述の第１実施形態では、Ｃ字形のスリットを形成したが、これは、Ｔ字形、Ｍ字形、Ｈ字形、Σ字形等、任意のデザインを施すことができる。
【００７１】
また、第１実施形態では、ボスキャップ３の嵌入凸部３ｂを指針基部５の穴部５ａ内に隙間を介して挿入したが、嵌入凸部３ｂを穴部５ａ内に圧入しても良い。
【００７２】
また、穴部５ａは貫通孔でなくてもよく、有底穴であっても良い。そして、この有底穴の底に、嵌入凸部３ｂの先端が当接するようにしても良い。この場合は、嵌入凸部３ｂが、本発明の位置決め突起部（３ｅ）を兼ねることになる。
【符号の説明】
【００７３】
１指針
２  針状部
３  ボスキャップ
３ａ  ボスキャップの前壁部
３ｂ  嵌入凸部
３ｃ  ボスキャップの側壁部
３ｃ１  ボスキャップの右側壁部
３ｅ  位置決め突起部
３ｆ  係止爪
４  スリット
５  指針基部
５ａ  指針基部の穴部
５ｂ  基部側壁部
５ｂ１  段差部
６  挿入突起部
８ａ、８ｂ  光源
９  指針駆動軸
１０  軸部
１１  表示板
１７  軸部周辺部
１８  入光部
１９  光放射部
Ｂ４  段差量（オフセット量）
Ｔ１  第１シボ
Ｔ２  第２シボ
Ｔ３１、Ｔ３２  第３シボ（基部平面シボ）
Ｔ４  第４シボ
Ｔ５  第５シボ（光放射シボ）
【図１】
0005561211.tif 000002
【図２】
0005561211.tif 000003
【図３】
0005561211.tif 000004
【図４】
0005561211.tif 000005
【図５】
0005561211.tif 000006
【図６】
0005561211.tif 000007